(57)【要約】【課題】  非使用時の良好な携帯性及び収納性を確保して利便性の向上を図る。【解決手段】  それぞれ結合用係合部１１、１１、・・・を有する一対のスピーカー２、２と、一対のスピーカーに接続されたケーブル３、４と、外部機器１００に接続可能とされ一対のスピーカーの各結合用係合部に係合するスピーカー結合部１８ａ、１８ａ、・・・が設けられケーブルが接続された接続コネクター５とを設け、接続コネクターが外部機器に接続されていない状態において、一対のスピーカーの各結合用係合部に接続コネクターのスピーカー結合部がそれぞれスライドされて係合され一対のスピーカーが接続コネクターを介して結合されるようにした。【選択図】        図５
2011193214.tif 000002
【特許請求の範囲】
【請求項１】
それぞれ結合用係合部を有する一対のスピーカーと、
前記一対のスピーカーに接続されたケーブルと、
外部機器に接続可能とされ前記一対のスピーカーの各結合用係合部に係合するスピーカー結合部が設けられ前記ケーブルが接続された接続コネクターとを備え、
前記接続コネクターが前記外部機器に接続されていない状態において、前記一対のスピーカーの各結合用係合部に前記接続コネクターのスピーカー結合部がそれぞれスライドされて係合され前記一対のスピーカーが前記接続コネクターを介して結合されるようにした
スピーカーシステム。
【請求項２】
前記スピーカーの一端面を音声出力面とし他端面を前記音声出力面と反対方向を向く結合面として形成し、
前記結合面側に前記結合用係合部を形成した
請求項１に記載のスピーカーシステム。
【請求項３】
前記スピーカーを前記音声出力面から前記結合面に向かうに従って外形が小さくなる形状に形成し、
前記一対のスピーカーは各結合面が向き合う状態で前記接続コネクターを介して結合されるようにし、
前記一対のスピーカーが結合された状態において前記ケーブルを前記一対のスピーカーの結合面側の端部における外周面に巻き付けるようにした
請求項２に記載のスピーカーシステム。
【請求項４】
前記スピーカーの結合用係合部と前記接続コネクターのスピーカー結合部の一方を所定の方向に延びる突条に形成し他方を前記所定の方向に延びる溝に形成し、
前記スピーカーと前記接続コネクターに、前記スピーカー結合部が前記結合用係合部に係合したときの前記接続コネクターの前記スピーカーからの脱落を規制する規制部を設けた
請求項１に記載のスピーカーシステム。
【請求項５】
前記接続コネクターに前記外部機器に接続される端子部と前記端子部を保護する樹脂材料によって形成された保護部とを設け、
前記保護部に前記一対のスピーカー結合部を設けた
請求項１に記載のスピーカーシステム。
【請求項６】
前記接続コネクターを前記一対のスピーカーが結合する方向に直交する方向からスライドさせて前記一対のスピーカーを結合するようにした
請求項１に記載のスピーカーシステム。
【請求項７】
前記一対のスピーカーが結合された状態において前記ケーブルを前記一対のスピーカーの外周面に巻き付け、
前記ケーブルに取り付けられると共に前記ケーブルを前記一対のスピーカーに巻き付けた状態で保持するクランパーを設けた
請求項１に記載のスピーカーシステム。
【発明の詳細な説明】
【技術分野】
【０００１】
本発明はスピーカーシステムについての技術分野に関する。詳しくは、一対のスピーカーをケーブルを介して一対のスピーカーに接続された接続コネクターを用いて結合し非使用時における利便性の向上を図る技術分野に関する。
【背景技術】
【０００２】
一対のスピーカーを有し該一対のスピーカーがケーブルを介して接続コネクターに接続されたスピーカーシステムがある。
【０００３】
このようなスピーカーシステムには、例えば、ＵＳＢ（Universal Serial Bus）コネクター等の接続コネクターをパーソナルコンピューター等の外部機器に接続し、外部機器から送信された音声データーを一対のスピーカーから出力することができるものがある。
【０００４】
上記のようなスピーカーシステムにおいて、外部機器から接続コネクターが取り外された非使用時の携帯性や収納性の向上を図るために、一対のスピーカーを結合することが可能とされたものがある（例えば、特許文献１及び特許文献２参照）。
【０００５】
【特許文献１】実開平７−２９９９２号公報
【特許文献２】実開平５−３９０９２号公報
【発明の開示】
【発明が解決しようとする課題】
【０００６】
ところが、特許文献１及び特許文献２に記載されたスピーカーシステムにあっては、一対のスピーカーが結合された状態においてケーブルがスピーカーやスピーカーに設けられた留め具に巻き付けられるが、ケーブルが接続された接続コネクターは何れの部分にも保持されていない。
【０００７】
従って、接続コネクターが不安定な状態にあるため、接続コネクターがスピーカーに対して揺れ動いてしまい、携帯性や収納性を阻害するおそれがある。
【０００８】
そこで、本発明スピーカーシステムは、上記した問題点を克服し、非使用時の良好な携帯性及び収納性を確保して利便性の向上を図ることを課題とする。
【課題を解決するための手段】
【０００９】
スピーカーシステムは、上記した課題を解決するために、それぞれ結合用係合部を有する一対のスピーカーと、前記一対のスピーカーに接続されたケーブルと、外部機器に接続可能とされ前記一対のスピーカーの各結合用係合部に係合するスピーカー結合部が設けられ前記ケーブルが接続された接続コネクターとを備え、前記接続コネクターが前記外部機器に接続されていない状態において、前記一対のスピーカーの各結合用係合部に前記接続コネクターのスピーカー結合部がそれぞれスライドされて係合され前記一対のスピーカーが前記接続コネクターを介して結合されるようにしたものである。
【００１０】
従って、接続コネクターが外部機器に接続されていない状態において、接続コネクターが一対のスピーカーとともに結合される。
【００１１】
上記したスピーカーシステムにおいては、前記スピーカーの一端面を音声出力面とし他端面を前記音声出力面と反対方向を向く結合面として形成し、前記結合面側に前記結合用係合部を形成することが望ましい。
【００１２】
結合面側に結合用係合部を形成することにより、一対のスピカーの結合面同士が結合される。
【００１３】
上記したスピーカーシステムにおいては、前記スピーカーを前記音声出力面から前記結合面に向かうに従って外形が小さくなる形状に形成し、前記一対のスピーカーは各結合面が向き合う状態で前記接続コネクターを介して結合されるようにし、前記一対のスピーカーが結合された状態において前記ケーブルを前記一対のスピーカーの結合面側の端部における外周面に巻き付けるようにすることが望ましい。
【００１４】
スピーカーを音声出力面から結合面に向かうに従って外形が小さくなる形状に形成し、ケーブルを結合面側の端部における外周面に巻き付けることにより、ケーブルが音声出力面側に広がり難い。
【００１５】
上記したスピーカーシステムにおいては、前記スピーカーの結合用係合部と前記接続コネクターのスピーカー結合部の一方を所定の方向に延びる突条に形成し他方を前記所定の方向に延びる溝に形成し、前記スピーカーと前記接続コネクターに、前記スピーカー結合部が前記結合用係合部に係合したときの前記接続コネクターの前記スピーカーからの脱落を規制する規制部を設けることが望ましい。。
【００１６】
接続コネクターのスピーカーからの脱落を規制する規制部を設けることにより、規制部によって接続コネクターのスピーカーからの脱落する方向への移動が規制される。
【００１７】
上記したスピーカーシステムにおいては、前記接続コネクターに前記外部機器に接続される端子部と前記端子部を保護する樹脂材料によって形成された保護部とを設け、前記保護部に前記一対のスピーカー結合部を設けることが望ましい。
【００１８】
樹脂材料によって形成された保護部に一対のスピーカー結合部を設けることにより、スピーカー結合部が接続コネクターの外部機器への接続に影響しない。
【００１９】
上記したスピーカーシステムにおいては、前記接続コネクターを前記一対のスピーカーが結合する方向に直交する方向からスライドさせて前記一対のスピーカーを結合することが望ましい。
【００２０】
接続コネクターを前記一対のスピーカーが結合する方向に直交する方向からスライドさせて前記一対のスピーカーを結合することにより、接続コネクターがスピーカーと干渉しない。
【００２１】
上記したスピーカーシステムにおいては、前記一対のスピーカーが結合された状態において前記ケーブルを前記一対のスピーカーの外周面に巻き付け、前記ケーブルに取り付けられると共に前記ケーブルを前記一対のスピーカーに巻き付けた状態で保持するクランパーを設けることが望ましい。
【００２２】
ケーブルを一対のスピーカーに巻き付けた状態で保持するクランパーを設けることにより、ケーブルがスピーカに巻き付けられた状態がクランパーによって保持される。
【発明の効果】
【００２３】
本発明スピーカーシステムは、それぞれ結合用係合部を有する一対のスピーカーと、前記一対のスピーカーに接続されたケーブルと、外部機器に接続可能とされ前記一対のスピーカーの各結合用係合部に係合するスピーカー結合部が設けられ前記ケーブルが接続された接続コネクターとを備え、前記接続コネクターが前記外部機器に接続されていない状態において、前記一対のスピーカーの各結合用係合部に前記接続コネクターのスピーカー結合部がそれぞれスライドされて係合され前記一対のスピーカーが前記接続コネクターを介して結合されるようにしている。
【００２４】
従って、一対のスピーカーが結合された状態において、接続コネクターがスピーカーに対して揺れ動くようなことがなく、良好な携帯性及び収納性が確保され、利便性の向上を図ることができる。
【００２５】
請求項２に記載した発明にあっては、前記スピーカーの一端面を音声出力面とし他端面を前記音声出力面と反対方向を向く結合面として形成し、前記結合面側に前記結合用係合部を形成している。
【００２６】
従って、結合用係合部の形成が行い易く、スピーカーシステムの製造の容易化を図ることができる。
【００２７】
請求項３に記載した発明にあっては、前記スピーカーを前記音声出力面から前記結合面に向かうに従って外形が小さくなる形状に形成し、前記一対のスピーカーは各結合面が向き合う状態で前記接続コネクターを介して結合されるようにし、前記一対のスピーカーが結合された状態において前記ケーブルを前記一対のスピーカーの結合面側の端部における外周面に巻き付けるようにしている。
【００２８】
従って、ケーブルをスピーカの外周面に巻き付け易いと共に巻き付けたケーブルが音声出力面側へ広がり難く安定した巻付状態を確保することができる。
【００２９】
請求項４に記載した発明にあっては、前記スピーカーの結合用係合部と前記接続コネクターのスピーカー結合部の一方を所定の方向に延びる突条に形成し他方を前記所定の方向に延びる溝に形成し、前記スピーカーと前記接続コネクターに、前記スピーカー結合部が前記結合用係合部に係合したときの前記接続コネクターの前記スピーカーからの脱落を規制する規制部を設けている。
【００３０】
従って、一対のスピーカーが結合された状態において、接続コネクターのスピーカーからの脱落を防止することができる。
【００３１】
請求項５に記載した発明にあっては、前記接続コネクターに前記外部機器に接続される端子部と前記端子部を保護する樹脂材料によって形成された保護部とを設け、前記保護部に前記一対のスピーカー結合部を設けている。
【００３２】
従って、接続コネクターの外部機器への接続に支障を来たすことがなく、また、スピーカー結合部を必要な形状に容易に形成することができる。
【００３３】
請求項６に記載した発明にあっては、前記接続コネクターを前記一対のスピーカーが結合する方向に直交する方向からスライドさせて前記一対のスピーカーを結合するようにしている。
【００３４】
従って、接続コネクターがスピーカーと干渉することがなく接続コネクターの挿入を容易に行うことができる。
【００３５】
請求項７に記載した発明にあっては、前記一対のスピーカーが結合された状態において前記ケーブルを前記一対のスピーカーの外周面に巻き付け、前記ケーブルに取り付けられると共に前記ケーブルを前記一対のスピーカーに巻き付けた状態で保持するクランパーを設けている。
【００３６】
従って、ケーブルがスピーカーから解け難く、スピーカーに対するケーブルの巻付状態の安定化を図ることができる。
【発明を実施するための最良の形態】
【００３７】
以下に、本発明スピーカーシステムの実施の形態を添付図面に従って説明する。
【００３８】
以下の説明にあっては、スピーカーから音声が出力される方向を前方として前後上下左右の方向を示すものとする。
【００３９】
尚、以下に示す前後上下左右の方向は説明の便宜上のものであり、本発明の実施に関しては、これらの方向に限定されることはない。
【００４０】
［全体構成］
スピーカーシステム１は一対のスピーカー２、２とケーブル３、４と接続コネクター５を有している（図１参照）。スピーカーシステム１は、接続コネクター５が、例えば、パーソナルコンピューター等の外部機器１００の接続端子１０１に接続され、外部機器１００から送信された音声データーを一対のスピーカー２、２から出力することが可能とされている。
【００４１】
スピーカー２は、前方を向く音声出力面６と、後方を向く結合面７と、音声出力面６の外周と結合面７の外周とを結ぶ外周面８とを有し、音声出力面６から結合面７に向かうに従って外形が小さくなる形状、例えば、略角錐台形状又は略円錐台形状に形成されている。
【００４２】
スピーカー２の後端部には下方及び後方に開口された挿入溝９が形成されている（図２参照）。スピーカー２の後端部における挿入溝９の左右にはそれぞれ上下に延びる案内突部１０、１０が設けられている。案内突部１０、１０はそれぞれ挿入溝９の下側略半分の部分に対応する位置に設けられ、挿入溝９の底面９ａから後方に離隔した位置に設けられている。従って、案内突部１０、１０の前側にはそれぞれ内方及び下方に開口された溝部が形成され、該溝部が結合用係合部１１、１１とされている。案内突部１０、１０は互いに離接する方向へ弾性変形可能とされている。
【００４３】
案内突部１０、１０の下端寄りの位置にはそれぞれ内方に開口された規制溝１０ａ、１０ａが形成されている。
【００４４】
外周面８における下面には左右に離隔して下方へ突出された脚１２、１２が設けられている。
【００４５】
ケーブル３、４はそれぞれ図示しない金属線がゴム等の柔軟な材料によって形成された被覆部３ａ、４ａに覆われて成る。
【００４６】
ケーブル３は両端部がそれぞれスピーカー２、２に接続され、ケーブル４は一端部が一方のスピーカー２に接続され他端部が接続コネクター５に接続されている（図１参照）。
一方のスピーカー２の内部においてケーブル３の一端部とケーブル４の一端部が電気的に接続されている。
【００４７】
ケーブル３、４にはクランパー１３が取り付けられている。クランパー１３は、例えば、樹脂材料によって形成され、図３に示すように、所定の方向に貫通された挿通孔１４と該挿通孔１４の貫通方向に対して直交する方向に貫通された保持孔１５とを有している。挿通孔１４の径はケーブル３とケーブル４の径を加算した径と略同じにされ、保持孔１５の径はケーブル３、４の径と略同じにされている。クランパー１３の保持孔１５は半径方向における一方に開口された挿入用切欠１５ａを有し、該挿入用切欠１５ａの開口幅はケーブル３、４の径より稍小さくされている。
【００４８】
クランパー１３の挿通孔１４にはケーブル３、４が挿通されている。ケーブル３、４は重ね合わされた状態で挿通孔１４に挿通され、クランパー１３はケーブル３、４に対してスライド可能とされている。クランパー１３をケーブル３、４に対してスライドさせることにより、クランパー１３から接続コネクター５までにおけるケーブル４の長さを調節することができる。
【００４９】
接続コネクター５は外部機器１００の接続端子１０１に接続される端子部１６と該端子部１６を保護する樹脂材料によって形成された保護部１７とを有している（図２参照）。
【００５０】
保護部１７は端子部１６の一部を覆う扁平な形状に形成されたベース部１８と該ベース部１８の一端面から突出された円筒状のケーブル保持部１９とから成る。
【００５１】
ベース部１８の両側面部にはそれぞれ厚み方向に離隔して二つずつのスピーカー結合部１８ａ、１８ａ、・・・が設けられている。スピーカー結合部１８ａは外方（側方）へ突出され、端子部１６の接続端子１０１に対する挿入方向に延びる突条に形成されている。
【００５２】
ベース部１８の両側面部にはそれぞれスピーカー結合部１８ａ、１８ａ、・・・間に位置する規制突部１８ｂ、１８ｂが設けられている。規制突部１８ｂはスピーカー結合部１８ａと同じく外方（側方）へ突出され、スピーカー結合部１８ａに直交する方向に延び、ケーブル保持部１９寄りの位置に設けられている。
【００５３】
［スピーカーの結合状態］
以上のように構成されたスピーカーシステム１においては、接続コネクター５が外部機器１００の接続端子１０１から取り外された非使用時に、以下のようにして一対のスピーカー２、２が結合される。
【００５４】
先ず、スピーカー２、２を結合面７、７が向き合うように位置させる（図４参照）。
【００５５】
次に、接続コネクター５をスピーカー２、２の挿入溝９、９にスライドさせて挿入する（図５及び図６参照）。このとき接続コネクター５は端子部１６が挿入溝９、９の上半部に挿入され、ベース部１８のスピーカー結合部１８ａ、１８ａ、・・・がそれぞれ案内突部１０、１０、・・・に案内されて結合用係合部１１、１１、・・・、・・・に挿入されて係合される。スピーカー結合部１８ａ、１８ａ、・・・がそれぞれ結合用係合部１１、１１、・・・、・・・に挿入されるときには、接続コネクター５の規制突部１８ｂ、１８ｂが案内突部１０、１０、・・・に摺動され、該案内突部１０、１０、・・・が弾性変形される。規制突部１８ｂ、１８ｂ、・・・がそれぞれ案内突部１０、１０、・・・の規制溝１０ａ、１０ａ、・・・まで移動されたところで案内突部１０、１０、・・・が弾性復帰され、規制突部１８ｂ、１８ｂ、・・・がそれぞれ規制溝１０ａ、１０ａ、・・・に嵌合される。規制突部１８ｂ、１８ｂ、・・・がそれぞれ規制溝１０ａ、１０ａ、・・・に嵌合されることにより、接続コネクター５のスピーカー２、２からの下方への移動が規制される。従って、接続コネクター５のスピーカー２、２からの脱落を防止することができる。
【００５６】
尚、上記には、スピーカー２に規制溝１０ａを形成し接続コネクター５に規制突部１８ｂを設けた例を示したが、逆に、スピーカーに規制突部を設け接続コネクターに規制溝を形成することも可能である。
【００５７】
上記のように、接続コネクター５のスピーカー結合部１８ａ、１８ａ、・・・がスピーカー２、２の結合用係合部１０ａ、１０ａ、・・・に挿入されて係合されることにより、スピーカー２、２が接続コネクター５を介して結合される（図５及び図６参照）。
【００５８】
上記のように接続コネクター５をスピーカー２、２の挿入溝９、９に挿入するときには、スピーカー２、２の結合方向（結合が解除される方向）をＸ方向とすると、接続コネクター５の挿入溝９、９への挿入方向がＸ方向に直交するＹ方向になる。従って、接続コネクター５がスピーカー２、２と干渉することがなく接続コネクター５の挿入を容易に行うことができ、また、スピーカー２、２の結合方向に対して直交する方向において接続コネクター５が挿入されてスピーカー２、２が結合されるため、スピーカー２、２の結合状態の安定化を図ることができる。
【００５９】
スピーカー２、２が結合された状態においては、接続コネクター５は挿入溝９、９に挿入されているためスピーカー２、２に対して揺れ動くことがなく安定な状態で保持されている。このときケーブル３、４はクランパー１３を支点とするようにしてそれぞれ二つ折りに束ねられた状態とされている。
【００６０】
続いて、ケーブル３、４をそれぞれ二つ折りに束ねた状態でスピーカー２、２の外周面８における結合面８、８側の端部に巻き付ける（図７参照）。このときケーブル３、４はそれぞれ二つ折りに束ねられた状態にされているため、ケーブル３、４のスピーカー２、２に対する巻付作業を容易に行うことができる。また、スピーカー２、２の結合面７、７側の端部が音声出力面６、６側の部分より外形が小さくされているため、ケーブル３、４を巻き付け易いと共に巻き付けたケーブル３、４が音声出力面６、６側へ広がり難く安定した巻付状態を確保することができる。
【００６１】
最後に、クランパー１３の保持孔１５にケーブル３又はケーブル４の一部を挿入して保持しケーブル３、４が解けないようにして巻付を完了する。このときクランパー１３は二つ折りに束ねられたケーブル３、４の先端部に位置されている（図６参照）ため、図７に示すように、挿通孔１４がＸ方向に延び保持孔１５がＸ方向に直交する方向に延びる状態とされている。従って、クランパー１３を挿通孔１４の周方向（図８のＲ方向）に回転させることにより、保持孔１５の延びる方向Ｐとケーブル３、４の延びる方向Ｑとが一致され（図８参照）、保持孔１５へのケーブル３又はケーブル４の挿入を容易に行うことができる。
【００６２】
上記のように、クランパー１３の保持孔１５にケーブル３又はケーブル４を挿入して保持することにより、ケーブル３、４がスピーカー２、２から解け難く、スピーカー２、２に対するケーブル３、４の巻付状態の安定化を図ることができる。
【００６３】
スピーカー２、２の結合の解除は、クランパー１３の保持孔１５からケーブル３又はケーブル４を引き出し、ケーブル３、４をスピーカー２、２から解いて接続コネクター５をスピーカー２、２から取り外すことにより行うことができる。
【００６４】
尚、上記には、スピーカー２、２に溝状の結合用係合部１１、１１、・・・を形成し接続コネクター５に突条のスピーカー結合部１８ａ、１８ａ、・・・を設けて接続コネクター５を介してスピーカー２、２を結合した例を示したが、逆に、スピーカーに突条の結合用係合部を設け接続コネクターに溝状のスピーカー結合部を形成してスピーカーを結合することも可能である。
【００６５】
［まとめ］
以上に記載した通り、スピーカーシステム１にあっては、接続コネクター５が外部機器１００に接続されていない非使用時に、一対のスピーカー２、２の結合用係合部１１、１１、・・・に接続コネクター５のスピーカー結合部１８ａ、１８ａ、・・・がそれぞれスライドされて係合されスピーカー２、２が接続コネクター５を介して結合される。
【００６６】
従って、接続コネクター５がスピーカー２、２に対して揺れ動くようなことがなく、良好な携帯性及び収納性が確保され、利便性の向上を図ることができる。
【００６７】
また、スピーカー２、２の音声出力面６、６と反対側の結合面７、７側にそれぞれ結合用係合部１１、１１、・・・を設けたので、結合用係合部１１、１１の形成が行い易く、スピーカーシステム１の製造の容易化を図ることができる。
【００６８】
さらに、音声出力面６、６と反対側の結合面７、７側にそれぞれ結合用係合部１１、１１、・・・を設けることにより、スピーカーシステム１の使用時に結合用係合部１１、１１が使用者から見え難く、デザイン性の向上を図ることができる。
【００６９】
尚、上記には、結合用係合部１１、１１、・・・を結合面７、７側に設けた例を示したが、結合用係合部を音声出力面６、６側又は外周面８側に設けることも可能である。
【００７０】
加えて、スピーカーシステム１にあっては、樹脂材料によって形成された接続コネクター５の保護部１７にスピーカー結合部１８ａ、１８ａ、・・・を形成している。従って、接続コネクター５の外部機器１００への接続に支障を来たすことがなく、また、スピーカー結合部１８ａ、１８ａ、・・・を必要な形状に容易に形成することができる。
【００７１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７２】
【図１】図２乃至図８と共に本発明スピーカーシステムの実施の形態を示すものであり、本図は、スピーカーシステムの使用状態の例を示す斜視図である。
【図２】スピーカーシステムの一部を示す拡大分解斜視図である。
【図３】クランパーの拡大斜視図である。
【図４】一対のスピーカーが結合される前の状態を示す拡大側面図である。
【図５】一対のスピーカーが結合された状態を示す拡大斜視図である。
【図６】一対のスピーカーが結合された状態を示す拡大側面図である。
【図７】スピーカーにケーブルが巻き付けられた状態を示す拡大斜視図である。
【図８】クランパーが回転されてケーブルを保持するときの状態を示す拡大斜視図である。
【符号の説明】
【００７３】
１…スピーカーシステム、２…スピーカー、３…ケーブル、４…ケーブル、５…接続コネクター、６…音声出力面、７…結合面、１０ａ…規制溝（規制部）、１１…結合用係合部、１３…クランパー、１４…挿通孔、１５…保持孔、１６…端子部、１７…保護部、１８ｂ…規制突部（規制部）、１９…ケーブル保持部、１００…外部機器
【図１】
2011193214.tif 000003
【図２】
2011193214.tif 000004
【図３】
2011193214.tif 000005
【図４】
2011193214.tif 000006
【図５】
2011193214.tif 000007
【図６】
2011193214.tif 000008
【図７】
2011193214.tif 000009
【図８】
2011193214.tif 000010